(57)【要約】【課題】低温時の洗浄力、泡立ち、すすぎ性に優れるだけでなく、低温時と常温時の香り立ちが共に良好で、香り立ちの温度による差が少ない食器洗い洗浄剤の提供。【解決手段】α−スルホ脂肪酸エステル塩と、α−スルホ脂肪酸ジ塩と、特定の半極性界面活性剤と、式（４）および式（５）のうちの少なくとも１種の化合物と、香料とを含有し、各成分の比率が特定に制御された洗浄剤。Ｚはフェニル基、ベンジル基、特定のアルキル基；ＡＯは特定のオキシアルキレン基；ｍは１〜５。Ｒ７は水素原子、特定の炭化水素基；Ｒ８は水素原子、メチル基；Ｘは−ＣＯＯ−、−ＳＯ３−、Ｍ４はＨ＋、Ｎａ＋等。［化１］2015010141.tif 000031【選択図】なし【特許請求の範囲】
【請求項１】
（Ａ）下記一般式（１）で表されるα−スルホ脂肪酸エステル塩と、
（Ｂ）下記一般式（２）で表されるα−スルホ脂肪酸ジ塩と、
（Ｃ）下記一般式（３）で表される半極性界面活性剤と、
（Ｄ）下記一般式（４）で表される化合物および下記一般式（５）で表される化合物のうちの少なくとも１種と、
（Ｅ）香料とを含有し、
（Ａ）／（Ｂ）で表される質量比が０．５〜８、
（Ｂ）／（Ｄ）で表される質量比が０．６〜３０、
（（Ａ）＋（Ｂ））／（Ｃ）で表される質量比が１〜１０、
（Ｄ）／（Ｅ）で表される質量比が０．５〜５０であることを特徴とする食器洗い洗浄剤。
【化１】
2015010141.tif 000026
（式（１）中、Ｒ１は炭素数１０〜１２のアルキル基、Ｒ２は炭素数１〜２のアルキル基、Ｍ１は水溶性塩を形成しうる陽イオンである。）
【化２】
2015010141.tif 000027
（式（２）中、Ｒ３は炭素数１０〜１２のアルキル基、Ｍ２およびＭ３はそれぞれ独立に水溶性塩を形成しうる陽イオンである。）
【化３】
2015010141.tif 000028
（式（３）中、Ｒ４は炭素数１２〜１４のアルキル基、Ｒ５およびＲ６はそれぞれ独立に炭素数１〜３のアルキル基である。）
【化４】
2015010141.tif 000029
（式（４）中、Ｚはフェニル基、ベンジル基または炭素数４〜６のアルキル基である。ＡＯは炭素数２〜４のオキシアルキレン基であり、ｍは１〜５である。）
【化５】
2015010141.tif 000030
（式（５）中、Ｒ７は水素原子または炭素数１〜４の炭化水素基、Ｒ８は水素原子またはメチル基である。Ｘは、−ＣＯＯ−または−ＳＯ３−、Ｍ４はＨ＋、アルカリ金属イオンまたはアルカリ土類金属イオンである。
【請求項２】
前記（Ｄ）成分がジエチレングリコールモノブチルエーテルであることを特徴とする請求項１に記載の食器洗い洗浄剤。
【発明の詳細な説明】
【技術分野】
【０００１】
本発明は、食器洗い洗浄剤に関する。
【背景技術】
【０００２】
近年、二酸化炭素排出削減の数値目標が掲げられる等、ＣＯ２排出削減の要望は高まってきている。その中でカーボンニュートラルの考え方から、食器洗い洗浄剤においても、天然原料（直鎖の高級アルコール等。）を使用することが強く望まれている。さらに最近では、エコ意識の一層の向上により、天然原料を用いた洗剤を使用するだけでなく、お湯を使わずに食器洗いをするなど、食器洗い行動そのものに対しても、省エネを意識する消費者が増加している。
【０００３】
例えば特許文献１には、常温（２５℃）でも泡立ちや油汚れの洗浄力に優れる洗剤として、天然原料を使用したα−スルホ脂肪酸メチルエステル塩、α−スルホ脂肪酸ジ塩、アルキルアミンオキシド等を組み合わせたものが開示されている。
【先行技術文献】
【特許文献】
【０００４】
【特許文献１】特開２０１２−１７２０５１号公報
【発明の概要】
【発明が解決しようとする課題】
【０００５】
しかしながら、特許文献１に記載の洗剤は、常温においては、泡立ちや油汚れの洗浄力に優れるが、低温時（１０℃）においては、洗浄力、泡立ちが低下するばかりか、すすぎ時に食器がヌルつくというすすぎ性の低下や、香り立ちの低下が顕著になるという課題があった。低温時の香り立ちを向上させるためには、洗剤への香料の配合量を増加することも考えられるが、その場合、該洗剤を常温で使用した場合に、香り立ちが強すぎてしまうという問題が生じる。
【０００６】
本発明は上記事情に鑑みてなされたもので、低温時の洗浄力、泡立ち、すすぎ性に優れるだけでなく、低温時と常温時の香り立ちが共に良好で、香り立ちの温度による差が少ない食器洗い洗浄剤の提供を課題とする。
【課題を解決するための手段】
【０００７】
本発明は以下の構成を有する。
［１］（Ａ）下記一般式（１）で表されるα−スルホ脂肪酸エステル塩と、
（Ｂ）下記一般式（２）で表されるα−スルホ脂肪酸ジ塩と、
（Ｃ）下記一般式（３）で表される半極性界面活性剤と、
（Ｄ）下記一般式（４）で表される化合物および下記一般式（５）で表される化合物のうちの少なくとも１種と、
（Ｅ）香料とを含有し、
（Ａ）／（Ｂ）で表される質量比が０．５〜８、
（Ｂ）／（Ｄ）で表される質量比が０．６〜３０、
（（Ａ）＋（Ｂ））／（Ｃ）で表される質量比が１〜１０、
（Ｄ）／（Ｅ）で表される質量比が０．５〜５０であることを特徴とする食器洗い洗浄剤。
【化１】
2015010141.tif 000002
（式（１）中、Ｒ１は炭素数１０〜１２のアルキル基、Ｒ２は炭素数１〜２のアルキル基、Ｍ１は水溶性塩を形成しうる陽イオンである。）
【化２】
2015010141.tif 000003
（式（２）中、Ｒ３は炭素数１０〜１２のアルキル基、Ｍ２およびＭ３はそれぞれ独立に水溶性塩を形成しうる陽イオンである。）
【化３】
2015010141.tif 000004
（式（３）中、Ｒ４は炭素数１２〜１４のアルキル基、Ｒ５およびＲ６はそれぞれ独立に炭素数１〜３のアルキル基である。）
【化４】
2015010141.tif 000005
（式（４）中、Ｚはフェニル基、ベンジル基または炭素数４〜６のアルキル基である。ＡＯは炭素数２〜４のオキシアルキレン基であり、ｍは１〜５の整数である。）
【化５】
2015010141.tif 000006
（式（５）中、Ｒ７は水素原子または炭素数１〜４の炭化水素基、Ｒ８は水素原子またはメチル基である。Ｘは、−ＣＯＯ−または−ＳＯ３−、Ｍ４はＨ＋、アルカリ金属イオンまたはアルカリ土類金属イオンである。
［２］前記（Ｄ）成分がジエチレングリコールモノブチルエーテルであることを特徴とする［１］に記載の食器洗い洗浄剤。
【発明の効果】
【０００８】
本発明によれば、低温時の洗浄力、泡立ち、すすぎ性に優れるだけでなく、低温時と常温時の香り立ちが共に良好で、香り立ちの温度による差が少ない食器洗い洗浄剤を提供できる。
【発明を実施するための形態】
【０００９】
以下、本発明を詳細に説明する。
［（Ａ）α−スルホ脂肪酸エステル塩］
本発明の食器洗い洗浄剤（以下、単に「洗浄剤」ともいう）は、液体洗浄剤であり、（Ａ）α−スルホ脂肪酸エステル塩を主活性剤として含有する。
（Ａ）α−スルホ脂肪酸エステル塩（以下、「（Ａ）成分」ともいう。）は、下記一般式（１）で表される。
【００１０】
【化６】
2015010141.tif 000007
【００１１】
式（１）中、Ｒ１は炭素数１０〜１２のアルキル基、Ｒ２は炭素数１〜２のアルキル基、Ｍ１は水溶性塩を形成しうる陽イオンである。
【００１２】
Ｒ１のアルキル基は直鎖状であっても分岐鎖状であってもよい。
（Ａ）成分は、Ｒ１やＲ２が異なる複数種のα−スルホ脂肪酸エステル塩の混合物でもよい。（Ａ）成分は、Ｒ１が炭素数１０の直鎖状のアルキル基である化合物、または、Ｒ１が炭素数１０の直鎖状のアルキル基である化合物と炭素数１２の直鎖状のアルキル基である化合物との混合物が好ましい。（Ａ）成分のＲ２は、炭素数１のアルキル基であることが好ましい。
【００１３】
Ｍ１は、一般式（１）が水溶性の塩を形成するものであればよい。
Ｍ１は具体的には、ナトリウム、カリウム等のアルカリ金属陽イオン、カルシウム、マグネシウム等のアルカリ土類金属陽イオン、アンモニウムイオン、エタノールアミン等が挙げられる。（Ａ）成分は、Ｍ１が異なる複数種のα−スルホ脂肪酸エステル塩の混合物でもよい。Ｍ１は、ナトリウムイオンが好ましい。
【００１４】
（Ａ）成分の好ましい具体例としては、α−スルホラウリン酸メチルエステル塩およびα−スルホミリスチン酸メチルエステル塩が挙げられ、１種以上を使用できる。また、混合物の例としては、α−スルホヤシ油脂肪酸メチルエステル塩が挙げられる。
【００１５】
洗浄剤１００質量％中の（Ａ）成分の含有量は、低温での洗浄剤の洗浄力と泡立ちの観点から、５〜３５質量％が好ましく、１０〜２５質量％がより好ましい。上記範囲の下限値以上であると、充分な洗浄力、泡立ちが得られやすく、上限値以下であると、充分なすすぎ性が得られやすい。
【００１６】
［（Ｂ）α−スルホ脂肪酸ジ塩］
本発明の洗浄剤は、（Ｂ）α−スルホ脂肪酸ジ塩（以下、「（Ｂ）成分」ともいう。）を含有する。（Ｂ）成分は、低温時の泡立ちに寄与するとともに、特にすすぎ性の向上、後述の（Ｅ）成分の低温時の香り立ちの向上に寄与する。
（Ｂ）成分は、下記一般式（２）で表される。
【００１７】
【化７】
2015010141.tif 000008
【００１８】
式（２）中、Ｒ３は炭素数１０〜１２のアルキル基、Ｍ２およびＭ３はそれぞれ独立に水溶性塩を形成しうる陽イオンである。
Ｒ３のアルキル基は、直鎖状であっても分岐鎖状であってもよい。
Ｍ２およびＭ３は、一般式（２）が水溶性の塩を形成するものであればよく、具体的には、ナトリウム、カリウム等のアルカリ金属陽イオン、カルシウム、マグネシウム等のアルカリ土類金属陽イオン、アンモニウムイオン、エタノールアミン等が挙げられる。Ｍ２とＭ３は、同じでも異なっていてもよい。Ｍ２およびＭ３はいずれも、ナトリウムイオンであることが好ましい。
【００１９】
洗浄剤１００質量％中の（Ｂ）成分の含有量は、２〜２０質量％が好ましく、５〜１０質量％がより好ましい。上記範囲であると、より優れた低温時の泡立ち、すすぎ性、後述の（Ｅ）成分の低温時の香り立ちが得られやすい。
【００２０】
［（Ａ）／（Ｂ）の質量比］
洗浄剤中の（Ａ）成分と（Ｂ）成分との質量比（（Ａ）／（Ｂ））は、０．５〜８であり、２〜６が好ましい。該質量比が上記範囲外であると、低温時の泡立ちが不充分となる。
【００２１】
［（Ｃ）半極性界面活性剤］
本発明の洗浄剤は、（Ｃ）半極性界面活性剤（以下、「（Ｃ）成分」ともいう。）を含有する。（Ｃ）成分は、洗浄力と泡立ちを向上させる作用を有する。
半極性界面活性剤としては、下記一般式（３）で表される化合物が挙げられる。
【００２２】
【化８】
2015010141.tif 000009
【００２３】
式（３）中、Ｒ４は炭素数１２〜１４のアルキル基、Ｒ５およびＲ６はそれぞれ独立に炭素数１〜３のアルキル基である。Ｒ４、Ｒ５、Ｒ６は、いずれも、直鎖状でも分岐鎖状でもよい。
（Ｃ）成分は、Ｒ４、Ｒ５、Ｒ６が異なる複数種の半極性界面活性剤の混合物でもよい。Ｒ５およびＲ６はメチル基が好ましい。（Ｃ）成分の好ましい具体例としては、ジメチルラウリルアミンオキシドが挙げられる。
【００２４】
洗浄剤１００質量％中の（Ｃ）成分の含有量は、３〜１０質量％が好ましく、４〜９質量％がより好ましい。上記範囲の下限値以上であると、低温での充分な洗浄力、泡立ちが得られやすく、上限値以下であると、低温での充分なすすぎ性が得られやすい。
【００２５】
［（（Ａ）＋（Ｂ））／（Ｃ）の質量比］
洗浄剤中の（Ａ）成分と（Ｂ）成分の合計と（Ｃ）成分との質量比（（Ａ）＋（Ｂ））／（Ｃ）は、１〜１０であり、１〜５が好ましい。該質量比が上記範囲の下限値未満であると低温での泡立ちが低下し、上限値を超えると低温での洗浄力が低下する。（Ａ）〜（Ｃ）成分が該質量比を満たすと、これら各成分の相互作用により高い洗浄力が発現する。
【００２６】
［（Ｄ）化合物］
本発明の洗浄剤は、（Ｄ）化合物（以下、「（Ｄ）成分」ともいう。）として、下記一般式（４）で表される化合物および下記一般式（５）で表される化合物のうちの少なくとも１種を含む。（Ｄ）成分は、低温時の泡立ちの向上に加え、後述の（Ｅ）成分の低温時の香り立ちの向上剤としても作用する。
【００２７】
【化９】
2015010141.tif 000010
【００２８】
式（４）中、Ｚはフェニル基、ベンジル基または炭素数４〜６のアルキル基である。ＡＯは炭素数２〜４のオキシアルキレン基、ｍは繰り返し数を示し、１〜５である。
式（４）で表される化合物の具体例としては、ジエチレングリコールモノブチルエーテル、フェノキシエタノール、フェノキシ−２−プロパノール、ベンジルジグリコールなどが挙げられ、ジエチレングリコールモノブチルエーテルが好ましい。
【００２９】
【化１０】
2015010141.tif 000011
【００３０】
式（５）中、Ｒ７は水素原子または直鎖状でも分岐鎖状でもよい炭素数１〜４の炭化水素基、Ｒ８は水素原子またはメチル基である。Ｘは、−ＣＯＯ−または−ＳＯ３−、Ｍ４はＨ＋、アルカリ金属イオンまたはアルカリ土類金属イオンである。
式（５）で表される化合物の具体例としては、メタキシレンスルホン酸、パラトルエンスルホン酸、クメンスルホン酸、安息香酸が挙げられ、パラトルエンスルホン酸、クメンスルホン酸が好ましい。
【００３１】
このような（Ｄ）成分のなかでは、式（４）で表される化合物が好ましく、特に、低温時の泡立ちとすすぎ性の向上に加え、後述の（Ｅ）成分の低温での香り立ちを向上させる効果が顕著となる点から、ジエチレングリコールモノブチルエーテルを使用することが好ましい。ジエチレングルコールモノブチルエーテルは、上記一般式（４）において、Ｚ＝−Ｃ４Ｈ９、ＡＯ＝ＣＨ２ＣＨ２Ｏ、ｍ＝２の化合物である。
【００３２】
洗浄剤１００質量％中における（Ｄ）成分の含有量は、０．１〜７質量％が好ましく、０．５〜５質量％がさらに好ましい。該質量比が上記範囲の下限値未満であると低温での泡立ち、香り立ちが低下する傾向があり、上限値を超えると低温での洗浄力が低下する傾向がある。
【００３３】
［（Ｂ）／（Ｄ）の質量比］
洗浄剤中の（Ｂ）成分と（Ｄ）成分との質量比（（Ｂ）／（Ｄ））は、洗浄剤の低温での泡立ちとすすぎ性に影響を与えるパラメータであって、０．６〜３０であり、１〜１５が好ましく、１〜４が更に好ましい。該質量比が上記範囲の下限値未満であると低温での泡立ちが低下し、上限値を超えると低温でのすすぎ性が低下する。該質量比の範囲であると、低温時の泡立ちとすすぎ性が両立する効果が充分に得られる。
【００３４】
［（Ｅ）香料］
本発明の洗浄剤は、（Ｅ）香料（以下、「（Ｅ）成分」ともいう。）を含有する。一般に香料は、低温（例えば１０℃。）での使用時には、常温（例えば２５℃。）での使用時に比べて、香り立ちが低下する傾向がある。そこで、低温での香り立ちを向上させようとして、洗浄剤への香料の配合量を多くすると、常温では香りが強くなり過ぎてしまう。本発明者は、（Ｅ）成分である香料とともに、上述の（Ａ）〜（Ｄ）成分を配合し、かつ、後述のように特に（Ｄ）成分と（Ｅ）成分を特定比率とすることで、低温時の香り立ちを向上させ、常温時の香り立ちとの差を小さくできることを見出した。これにより、香料を多く配合しなくても低温での香り立ちを向上させることができる。そのため、常温で使用した場合でも、香りが強くなり過ぎることがない。
【００３５】
（Ｅ）成分の香料としては、合成香料、植物からの天然香料など公知の香料が使用でき、合成香料としては、例えば１９９６年化学工業日報社刊印藤元一著「合成香料  化学と商品知識」、１９６９年ＭＯＮＴＣＬＡＩＲ，Ｎ．Ｊ．刊ステファン・アークタンダー（ＳＴＥＦＦＥＮ  ＡＲＣＴＡＮＤＥＲ）著「パヒューム  アンド  フレーバー  ケミカルズ（Ｐｅｒｆｕｍｅ  ａｎｄ  Ｆｌａｖｏｒ  Ｃｈｅｍｉｃａｌｓ）」等に記載の香料が使用できる。天然香料としては、「香りの百科」日本香料協会編に記載の香料が使用できる。
合成香料としては、脂肪族炭化水素、テルペン炭化水素、芳香族炭化水素等の炭化水素類、脂肪族アルコール、テルペンアルコール、芳香族アルコール等のアルコール類、脂肪族エーテル、芳香族エーテル等のエーテル類、脂肪族オキサイド、テルペン類のオキサイド等のオキサイド類、脂肪族アルデヒド、テルペン系アルデヒド、水素化芳香族アルデヒド、チオアルデヒド、芳香族アルデヒド等のアルデヒド類、脂肪族ケトン、テルペンケトン、水素化芳香族ケトン、脂肪族環状ケトン、非ベンゼン系芳香族ケトン、芳香族ケトン等のケトン類、アセタール類、ケタール類、フェノール類、フェノールエーテル類、脂肪酸、テルペン系カルボン酸、水素化芳香族カルボン酸、芳香族カルボン酸等の酸類、酸アマイド類、脂肪族ラクトン、大環状ラクトン、テルペン系ラクトン、水素化芳香族ラクトン、芳香族ラクトン等のラクトン類、脂肪族エステル、フラン系カルボン酸エステル、脂肪族環状カルボン酸エステル、シクロヘキシルカルボン酸族エステル、テルペン系カルボン酸エステル、芳香族カルボン酸エステル等のエステル類、ニトロムスク類、ニトリル、アミン、ピリジン類、キノリン類、ピロール、インドール等の含窒素化合物等の合成香料が挙げられる。
（Ｅ）成分は、１種以上を使用でき、通常、２種以上が併用される。
洗浄剤１００質量％中における（Ｅ）成分の含有量は、香りの強さの点から、０．１〜１質量％が好ましく、０．１〜０．５質量％がさらに好ましい。
【００３６】
なお、香料は、あらかじめ香料用溶媒に希釈されていてもよい。香料用溶媒としては、一般的に香料の希釈に用いられる溶媒が使用でき、例えばエタノール、アセチン（トリアセチン）、ＭＭＢアセテート（３−メトキシ−３−メチルブチルアセテート）、エチレングリコールジブチレート、ヘキシレングリコール、ジブチルセバケート、デルチールエキストラ（イソプロピルミリステート）、メチルカルビトール（ジエチレングリコールモノメチルエーテル）、カルビトール（ジエチレングリコールモノエチルエーテル）、ＴＥＧ（トリエチレングリコール）、安息香酸ベンジル、プロピレングリコール、フタル酸ジエチル、トリプロピレングリコール、アボリン（ジメチルフタレート）、デルチルプライム（イソプロピルパルミテート）、ジプロピレングリコールＤＰＧ−ＦＣ（ジプロピレングリコール）、ファルネセン、ジオクチルアジペート、トリブチリン（グリセリルトリブタノエート）、ヒドロライト−５（１，２−ペンタンジオール）、プロピレングリコールジアセテート、セチルアセテート（ヘキサデシルアセテート）、エチルアビエテート、アバリン（メチルアビエテート）、シトロフレックスＡ−２（アセチルトリエチルシトレート）、シトロフレックスＡ−４（トリブチルアセチルシトレート）、シトロフレックスＮｏ．２（トリエチルシトレート）、シトロフレックスＮｏ．４（トリブチルシトレート）、ドゥラフィックス（メチルジヒドロアビエテート）、ＭＩＴＤ（イソトリデシルミリステート）、ポリリモネン（リモネンポリマー）、プロピレングリコール、１，３−ブチレングリコールなどを使用できる。また、香料用溶媒として、上述の（Ｄ）成分を用いることもできる。
【００３７】
［（Ｄ）／（Ｅ）の質量比］
本発明の洗浄剤における（Ｄ）成分と（Ｅ）成分との質量比（（Ｄ）／（Ｅ））は、（Ｅ）成分の香り立ちに影響を与えるパラメータであり、洗浄剤中の（Ｅ）成分の濃度が同じであっても、質量比（（Ｄ）／（Ｅ））により香り立ちが異なる。本発明の洗浄剤における質量比（（Ｄ）／（Ｅ））は０．５〜５０であり、１〜１５が好ましく、１〜１０がより好ましい。該質量比が上記範囲の下限値未満であると低温での香り立ちが低下し、上限値を超えると常温での香り立ちが強くなり過ぎる。その結果、香り立ちの温度による差が大きくなる。これに対して、該質量比の範囲であると、低温での香り立ちの強さが向上し、常温での香り立ちの強さに近づく。その結果、低温時と常温時の香り立ちが共に良好となり、香り立ちの温度による差が少なくなる。
【００３８】
［任意成分］
本発明の洗浄剤は、通常、上記各成分以外に、分散媒としての水を含有する。また、本発明の効果を損なわない範囲で、従来、液体洗浄剤に用いられる成分を任意成分として含有できる。任意成分としては、例えば、（Ａ）〜（Ｃ）成分を除く各種界面活性剤、ハイドロトロープ剤、金属イオン捕捉剤、酸化防止剤、防腐剤、着色剤、乳濁化剤、天然物エキス、ｐＨ調整剤（水酸化ナトリウム、硫酸、塩酸、グリコール酸等。）等が挙げられる。
【００３９】
本発明の洗浄剤のｐＨは、特に限定されないが、４〜８が好ましい。該範囲であると、食器や調理器具および手肌に対して穏やかである。
【００４０】
［製造方法］
本発明の洗浄剤は、従来公知の液体洗浄剤の製造方法により製造できる。例えば、分散媒である水に、各成分を加え、攪拌する製造方法が挙げられる。
【００４１】
以上説明したように、本発明の洗浄剤は、（Ａ）〜（Ｅ）成分を特定の比率で含有する。そのため、低温時の洗浄力、泡立ち、すすぎ性に優れるだけでなく、低温時と常温時の香り立ちが共に良好で、香り立ちの温度による差が少ない。
特に、質量比（（Ｂ）／（Ｄ））は、洗浄剤の低温での泡立ちとすすぎ性との発現に重要であり、質量比（（Ｄ）／（Ｅ））は、低温時と常温時の香り立ちを共に良好にする点で重要である。
【実施例】
【００４２】
以下、本発明について実施例を挙げて具体的に説明する。
実施例における各評価方法は以下の通りである。
［評価法］
（１）低温時洗浄力評価
スダンＩＶ（関東化学（株）社製）１質量％で着色させた牛脂（和光純薬（株）社製）１ｇを、縦１０ｃｍ×横１５ｃｍ×高さ５ｃｍのプラスチック容器（商品名：ネオキーパー、岩崎工業社製）内側の全面に均一になるように塗布し、激しく汚れた疎水表面汚垢モデルとした。
１０℃の恒温室内で、縦１１．５ｃｍ×横７．５ｃｍ×高さ３ｃｍの食器洗い用スポンジ（商品名：スコッチブライト、住友３Ｍ社製）に、１０℃の水道水３８ｇと各例の洗浄剤２ｇをそれぞれとり、１０回手で揉んだ後、上記プラスチック容器の内側における底面を１０回、側面を１０回、四隅を５回ずつこすってから、１０℃の水道水ですすいだ。下記評価基準に従って、プラスチック容器の内面の油汚れ落ち具合を評価した（４段階評価）。
（評価基準）
◎：着色された牛脂の汚れ残りがなく、プラスチック容器がヌルついていない。
○：着色された牛脂の汚れ残りはないが、プラスチック容器がややヌルつく。
△：着色された牛脂の汚れ残りがあり、プラスチック容器がヌルつく。
×：着色された牛脂の汚れ残りがかなりある。
【００４３】
（２）低温時泡立ち評価
１０℃の恒温室内で、縦１１．５ｃｍ×横７．５ｃｍ×高さ３ｃｍの食器洗い用スポンジ（商品名：スコッチブライト、住友３Ｍ社製）に、１０℃の水道水３８ｇと各例の２ｇの洗浄剤をとり、５回手で揉んだ後の泡の立ち方を下記の基準で評価した。
（評価基準）
◎：泡がスポンジの表面積の８０％を超えた範囲を覆う。
○：泡がスポンジの表面積の５０％を超えて８０％以下の範囲を覆う。
△：泡がスポンジの表面積の３０％を超えて５０％以下の範囲を覆う。
×：泡がスポンジの表面積の３０％以下の範囲を覆う。
××：全く泡立たない。
【００４４】
（３）低温時すすぎ性評価
１０℃の恒温室内で、縦１１．５ｃｍ×横７．５ｃｍ×高さ３ｃｍの食器洗い用スポンジ（商品名：スコッチブライト、住友３Ｍ社製）に、１０℃の水道水３８ｇと各例の２ｇの洗浄剤をとり、５回手で揉んだ後、円形の陶器皿（φ＝２３ｃｍ）をスポンジでこすりながら洗浄する。１０℃に調整した水を１００ｍｌ／秒の水量で流し、５枚のお皿を１枚ずつすすぐ。５枚のお皿の全てのヌルツキが完全に消えるまでに要する時間を測定し、すすぎ性の評価とした。
（評価基準）
◎：６０秒以内で完全にヌルツキがなくなる。
○：６０秒超〜８０秒以内で完全にヌルツキがなくなる。
△：８０秒超〜１００秒以内で完全にヌルツキがなくなる。
×：完全にヌルツキがなくなるのに１００秒超かかる。
【００４５】
（４）香り立ち
（ｉ）香り立ち強度
２５℃および１０℃の恒温室内で、縦１１．５ｃｍ×横７．５ｃｍ×高さ３ｃｍの食器洗い用スポンジ（商品名：スコッチブライト、住友３Ｍ社製）に、水道水３８ｇと各例の２ｇの洗浄剤をとり、５回手で揉んだ後、その際の香りの強さについて、２０才代〜４０才代の女性の評価パネラー３０名により、下記の基準で評価した。そして、２５℃および１０℃のそれぞれにおいて、評点の平均値を算出した。
なお、水道水、スポンジは恒温室に１時間以上保管し、各々恒温室の温度と同じであることを確認した。
３０名の評価パネラーの年齢による内訳は、２０才代：１０名、３０代：１０名、４０代：１０名とした。
（評価基準）
評点
５点：香りが強すぎる。
４点：香りがやや強い。
３点：香りがちょうど良い。
２点：香りがやや弱い。
１点：香りが弱すぎる。
【００４６】
なお、各温度での香り立ち強度は、評点の平均値として、１．５点以上〜２．５点未満、または、３．５点以上〜４．５点未満が良好であり、２．５〜３．５点未満が特に良好である。一方、１．５点未満、または、４．５点以上は、良好ではない。
【００４７】
（ｉｉ）香立ち強度の温度による差（香り立ち評価）
上記（ｉ）で算出された２５℃における平均値と、１０℃における平均値との差を求めた（＝２５℃における平均値−１０℃における平均値）。各温度間の差が小さいほど良好である。
（評価基準）
◎：香り立ちの差が０．５点未満
○：香り立ちの差が０．５以上１点未満
△：香り立ちの差が１点以上１．５点未満
×：香り立ちの差が１．５点以上
【００４８】
［実施例１〜２５、比較例１〜１５］
表１〜４に示す配合組成に従って、以下に示す製造方法により、各例の洗浄剤（液体洗浄剤組成物）をそれぞれ調製した。
なお、表中の配合量の単位は質量％であり、いずれの成分も純分換算量を示す。また、各例の洗浄剤は、表１〜４に記載の各成分の合計が１００質量％となるように、水の配合量を調整（バランス）した。各成分は５０℃に保温したものを用いた。
【００４９】
（製造方法）
２００ｍＬビーカに（Ａ）〜（Ｅ）成分を入れ、マグネチックスターラにより撹拌した。次いで、全体量（全体量を１００質量部とする。）が９３質量部になるように水を入れて撹拌した。その後、ｐＨを調整し、全体量が１００質量部になるように残りの水を加えてバランスし、各例の洗浄剤をそれぞれ製造した。ｐＨの調整には、ｐＨ調整剤としてグリコール酸と０．１Ｎ水酸化ナトリウム水溶液とを用いてこれらを適量添加し、各例の洗浄剤の２５℃でのｐＨが６．５となるように行った。具体的には、グリコール酸を所定量添加した後、上述のとおりｐＨが６．５となるように、水酸化ナトリウム水溶液を添加した。
ｐＨ測定は、洗浄剤を２５℃に調整し、ガラス電極式ｐＨメータ（製品名：ホリバＦ−２２、（株）堀場製作所製）を用いて測定した。測定方法は、ＪＩＳ  Ｋ３３６２−１９９８に準拠して行った。
【００５０】
各例の洗浄剤の調製には、以下の各成分を用いた。
（Ａ）成分：α−スルホラウリン酸メチルエステルナトリウム塩（合成品）
以下に合成方法を説明する。
ラウリン酸メチルエステル（ライオン（株）社製「パステル  Ｍ−１２」）１ｋｇ（４．７ｍｏｌ）を容量３Ｌの反応器に入れ、無水硫酸（日曹金属化学（株）社製「日曹サルファン」）４４９ｇ（５．６ｍｏｌ）を加熱してガス化し、開放系で窒素フローにより流し込むことでスルホン化した。反応温度は８０℃、無水硫酸の供給速度は１０ｇ／分とした。その後、８０℃Ｃで３０分間熟成反応を行うことでα−スルホ脂肪酸メチルエステル（スルホン酸）を得た。さらに得られたスルホン酸に対してメタノール（関東化学（株）社製）を２０質量％（２９０ｇ）、Ｈ２Ｏ２を純分として２質量％（３５質量％Ｈ２Ｏ２（関東化学（株）社製）を８３ｇ）添加した後に、８０℃で６０分間反応させることによりエステル化と漂白を行った。得られた漂白酸をＮａＯＨ水溶液でｐＨ７．０に調整し、反応溶媒を減圧下で留去した。途中発泡するので、イソプロパノールを加え共沸しながら水を留去した。残渣をエタノール／水＝９／１（ｖ／ｖ）で６０℃に加温溶解し、不溶物を除去した。ろ液を５℃に冷却して再結晶した後、析出物を濾別、真空乾燥することでα−スルホラウリン酸メチルエステルナトリウム塩を得た。
【００５１】
（Ｂ）成分：α−スルホラウリン酸二ナトリウム塩（合成品）
以下に合成方法を説明する。
上記で得られたα−スルホラウリン酸メチルエステルナトリウム塩１００ｇ（０．３２ｍｏｌ）を容量５００ｍＬの反応器に入れ、７質量％ＮａＯＨ水溶液２００ｍＬ（ＮａＯＨ１４ｇ、０．３５ｍｏｌ）を添加し、９０℃で６時間反応させた。その後、室温にて２日間静置し、得られた結晶を濾別、ＭｅＯＨで洗浄し、真空乾燥することでα−スルホラウリン酸二ナトリウム塩を得た。
【００５２】
（Ｃ）成分
（Ｃ−１）  Ｎ，Ｎ−ジメチルラウリルアミンオキシド（ライオンアクゾ社製「アロモックスＤＭ−１２Ｄ−Ｗ」）
【００５３】
（Ｄ）成分
（Ｄ−１）：ｐ−トルエンスルホン酸（協和発酵ケミカル株式会社製の「ｐＴＳＨ」）
（Ｄ−２）：クメンスルホン酸Ｎａ（テイカ株式会社製の「テイカトックスＮ５０４０」）
（Ｄ−３）：ｍ−キシレンスルホン酸（テイカ株式会社製の「テイカトックス１１０」）
（Ｄ−４）：ジエチレングリコールモノブチルエーテル（協和発酵工業、ブチルカルビトール（９０−５Ｐ））
（Ｄ−５）：２−フェノキシエタノール（四日市合成株式会社製）
（Ｄ−６）：ベンジルジグリコール（日本乳化剤製）
【００５４】
（Ｄ’）成分（比較物質）
（Ｄ’−１）：１−ブタノール（東京化成工業株式会社製）
（Ｄ’−２）：ジエチレングリコールモノエチルエーテル（東京化成工業株式会社製）
（Ｄ’−３）：ジエチレングリコール２−エチルヘキシルエーテル（青木油脂株式会社製「ＢＬＵＡＵＮＯＮ  ＥＨ−２」）
【００５５】
（Ｅ）成分：香料
香料として、表５〜１４に示す組成の香料Ａおよび香料Ｂを用いた。表中、香料Ａが（Ｅ−１）、香料Ｂが（Ｅ−２）である。香料Ａおよび香料Ｂのいずれも、表５〜１４に示す各成分の含有量を足し合わせると、１００質量％となる。また、これらの表に記載された各成分はすべて香料であり、これらの中に香料用溶媒は含まれない。
【００５６】
（その他の成分）
グリコール酸：デュポン社製、商品名「グリピュア７０」。
水酸化ナトリウム：水酸化ナトリウム、鶴見曹達（株）製。
水：水道水
【００５７】
【表１】
2015010141.tif 000012
【００５８】
【表２】
2015010141.tif 000013
【００５９】
【表３】
2015010141.tif 000014
【００６０】
【表４】
2015010141.tif 000015
【００６１】
【表５】
2015010141.tif 000016
【００６２】
【表６】
2015010141.tif 000017
【００６３】
【表７】
2015010141.tif 000018
【００６４】
【表８】
2015010141.tif 000019
【００６５】
【表９】
2015010141.tif 000020
【００６６】
【表１０】
2015010141.tif 000021
【００６７】
【表１１】
2015010141.tif 000022
【００６８】
【表１２】
2015010141.tif 000023
【００６９】
【表１３】
2015010141.tif 000024
【００７０】
【表１４】
2015010141.tif 000025
【００７１】
表１〜２に記載の各実施例の洗浄剤は、表３〜４に記載の各比較例の洗浄剤に比べて、低温時の洗浄力、泡立ち、すすぎ性に優れた。そして、低温時と常温時の香り立ちが共に良好で、香り立ちの程度の温度による差が少なかった。
また、例えば実施例５〜１０の結果等から、
（ｉ）質量比（（Ｄ）／（Ｅ））は香り立ちに影響を与え、該質量比がより適切な範囲にあると、低温時と常温時の香り立ちがともに優れ、これらの差が非常に少なること。
（ii）質量比（（Ｂ）／（Ｄ））は洗浄剤の低温での泡立ちとすすぎ性に影響を与え、該質量比がより適切な範囲にあると、低温時の泡立ちとすすぎ性が両立する効果が充分に得られること。
等が理解できた。
また、実施例２０〜２５の結果から、特に（Ｄ）成分として、ジエチレングリコールモノブチルエーテルを使用すると、低温時の洗浄力、泡立ち、すすぎ性、低温時と常温時の香り立ちのいずれもがバランス良く優れることが理解できた。